(57)【要約】【課題】  保護装置を配置する電装箱内の温度上昇の抑制・防止に加えて、電動機のロック現象やモータ巻線の相間の短絡故障やモータ巻線とコンプレッサの金属筐体との導通による地絡故障等の異常事態の発生時に急激に増大する異常電流を素早く解除できるようにした電動機の保護装置を提供すること。【解決手段】  直列接続される溶解素子、温度スイッチ、ヒータ及びバイメタルからなり電装箱内に設置される過負荷リレーと、電磁接触器の開閉スイッチを介して交流電源と電動機との間に接続される前記リレーの入力端子及び出力端子となる２つの接続端子と、前記バイメタルから導出され前記電動機への電流を開閉する電磁接触器の入力端子に接続されるセンター端子とを備え、当該センター端子からの信号に基づいて電動機の過電流を阻止するものである。【選択図】図１
2006230194.tif 000002
【特許請求の範囲】
【請求項１】
円柱状の樹脂製容器の内部で直列接続される、異常電流で溶断する素子、温度スイッチ、ヒータ、バイメタルからなる過負荷リレーにおいて、
前記リレーは、前記樹脂製容器の内部から外部に導出され開閉スイッチを介して交流電源と電動機との間に接続される当該リレーの入力端子及び出力端子となる２つの接続端子と、
前記樹脂製容器の略中央において前記バイメタルから樹脂製容器の外部に導出され前記開閉スイッチの開閉を制御する検知信号線に接続されるセンター端子とを備え、
前記素子と、前記温度スイッチと、前記ヒータと、前記バイメタルとは前記入力端子と前記出力端子の間にその順に直列接続され、
前記バイメタルの動作温度は前記温度スイッチの動作温度よりも低く設定され、
前記センター端子からの検知信号に基づいて電動機の過電流を阻止することを特徴とする電動機の保護装置。
【請求項２】
円柱状の樹脂製容器の内部で直列接続される、異常電流で溶断する素子、温度スイッチ、ヒータ、バイメタルからなる過負荷リレーにおいて、
前記リレーは、前記樹脂製容器の内部から外部に導出され開閉スイッチを介して交流電源と電動機との間に接続される当該リレーの入力端子及び出力端子となる２つの接続端子と、
前記樹脂製容器の略中央において前記バイメタルから樹脂製容器の外部に導出され前記開閉スイッチの開閉を制御する検知信号線に接続されるセンター端子とを備え、
前記素子と、前記温度スイッチと、前記ヒータと、前記バイメタルとは前記入力端子と前記出力端子の間にその順に直列接続され、
前記素子の溶断電流は前記バイメタルの遮断電流よりも大きな値に設定され、
前記センター端子からの検知信号に基づいて電動機の過電流を阻止することを特徴とする電動機の保護装置。
【請求項３】
円柱状の樹脂製容器の内部で直列接続される、異常電流で溶断する素子、温度スイッチ、ヒータ、バイメタルからなる過負荷リレーにおいて、
前記リレーは、前記樹脂製容器の内部から外部に導出され開閉スイッチを介して交流電源と電動機との間に接続される当該リレーの入力端子及び出力端子となる２つの接続端子と、
前記樹脂製容器の略中央において前記バイメタルから樹脂製容器の外部に導出され前記開閉スイッチの開閉を制御する検知信号線に接続されるセンター端子とを備え、
前記素子と、前記温度スイッチと、前記ヒータと、前記バイメタルとは前記入力端子と前記出力端子の間にその順に直列接続され、
前記バイメタルの動作温度は前記温度スイッチの動作温度よりも低く設定され、
前記素子の溶断電流は前記バイメタルの遮断電流よりも大きな値に設定され、
前記センター端子からの検知信号に基づいて電動機の過電流を阻止することを特徴とする電動機の保護装置。
【請求項４】
前記素子の溶断時間を１秒以下に設定したことを特徴とする、請求項１乃至請求項３記載の電動機の保護装置。
【発明の詳細な説明】
【技術分野】
【０００１】
本発明は、圧縮機等に使用される電動機への通電を制御すると共に、当該電動機に何らかの異常が発生した場合にそれを検出して電動機を保護するように機能する電動機の保護装置に関する。
【背景技術】
【０００２】
今日、業務用冷蔵庫やショーケース等において用いられる圧縮機及びこれを含む冷媒回路には、圧縮機若しくは冷媒回路に何らかの異常が発生した場合に、いち早くこれを検出すると共に圧縮機への通電を停止したり、電流を低下させたりするような圧縮機の保護装置を設けている。例えば、特開平７−２０１２６２号公報にあっては、電動圧縮機と電源との間に、圧縮機の過負荷状態やロック状態による過電流に伴う圧縮機モータの焼損を防止する過電流保護装置を設けたものが開示されている。
【０００３】
一方、保護装置を部品化した場合の過負荷リレーとして、その平面図（ａ）及び正面図（ｂ）を図４に、その電気回路図を図５にそれぞれ掲載する。過負荷リレー１は、内部空洞の円柱体であり、内部に加熱ヒータ１１及びバイメタル１２を収納する収納部２と、この収納部２の一端側に設けた耳部３とからなる。
【０００４】
過負荷リレー１は、その一部を図示しない雌型の固着端子を有するソケット部材に接続して使用されるが、このソケット部との接続時に電源及び電動機に接続するための雄型の２つの接続端子５、６と、何らかの部位に接続される雄型のセンター端子７とを有する。尚、図中のＡは電動機側に接続されることを示し、Ｂは電源側に接続されることを示す接続先明示用の表示である。即ち、接続端子５はＡに、接続端子６はＢに対応させることを明示している。
【０００５】
バイメタル１２は、図示しない電源に接続するための接続端子５につながる第１の接続端子１２Ａと、加熱ヒータ１１に接続する第２の接続端子１２Ｂと、センター端子７につながる第３の接続端子１２Ｃとを備えており、電流に比例して発熱量が変化する加熱ヒータ１１により加熱されることで、バイメタル接片によりその動作温度（開放電流に対応する開放温度）以上になると第１の接続端子１２Ａ及び第２の接続端子１２Ｂをそれぞれ開放して、電動機への通電を停止する一方、復帰温度未満に温度降下すると両端子１２Ａ、１２Ｂを閉鎖して、電動機側への通電を再開するものである。
【特許文献１】特開平７−２０１２６２号公報
【発明の開示】
【発明が解決しようとする課題】
【０００６】
特開平７−２０１２６２号公報に開示された過電流保護装置は、正転・反転の反復動作の繰り返しに伴うバイメタル接片の寿命に到達した場合には、バイメタル接片のもつ本来の特性を得られなくなり、過電流保護機能を満足しなくなるため、このバイメタル接片よりも動作温度の高いもう一つのバイメタル接片を設ることで、この寿命対策を施す一方、安全性の向上を図ったものである。
【０００７】
両バイメタル接片は、通電電流に応じて発熱量が変化する、詳しくは通電電流が増加すれば発熱量も増加するヒータの熱によって加熱されることで、各バイメタル接片の動作温度に達した場合に、圧縮機（特に電動機）への通電を遮断するようにそれぞれの接点を開放するものである。
【０００８】
しかしながら、バイメタル接片は、配置される周囲の雰囲気温度と、ヒータに流れる電流と、加熱された接片の温度と、ある状態の持続時間との４つの要素が密接に関係しあって、その動作が制御されるものであり、一概に接片の温度だけでその動作開始温度並びに復帰温度が規定できるものではない。このように、過電流保護装置だけでは正確な温度を検出できない危惧があり、実際の保護回路では、別途、温度センサや温度検出により接点を開閉する温度スイッチを設けてきた。また、電流応動のヒータによる加熱による温度変化を利用するというバイメタルは、その作動までに上述の持続時間を含めたタイムラグがあり、このバイメタルの特性上のタイムラグによって、電動機だけではなく他の電気部品に対して瞬時に増大する異常な過電流（即ち異常電流）による悪影響が出る場合があり、他の電気部品保護のために、別途、ヒューズを設けるものもあった。しかも、この温度スイッチ及びヒューズは、過電流保護装置（ヒータ付きのバイメタル）とは別体で構成されていた。これは、図４及び図５における電気部品としての過負荷リレーを見れば、特に図５において回路構成上記載されていないため、一目瞭然である。
【０００９】
したがって、過電流保護装置と温度スイッチ及びヒューズをそれぞれ結線すると共に、３つの部品を配置するスペースを確保しなければならず、部品点数の増加並びに取付作業の煩雑化を招いていた。また、温度スイッチを電装箱に配置することで、これらの電気部品を配置するスペース（電装箱内）の温度上昇を抑制することができるものの、ヒューズが無いため、電動機の回転子が停止（特にモータのロック現象発生時）又はその運転中においても、モータ巻線の相間の短絡故障やモータ巻線とコンプレッサの金属筐体との導通による地絡故障等の異常事態の発生時に急激に増大する電流を素早く検出することができず、しかもこの異常電流を遮断できるものでもなかった。
【００１０】
そこで本発明では、圧縮機等に使用される電動機を保護する保護装置を配置した電装箱内の温度上昇の抑制・防止に加えて、電動機のロック現象発生時や、他の異常時にモータ巻線が劣化・焼損することにより、電動機と電源或いはその操作回路との間に発生する地絡電流或いは短絡電流によって、急激に増大する電流（即ち異常電流）を素早く検出・解除し、電動機だけではなく圧縮機をも破損から保護する電動機の保護装置を提供することを目的とする。
【課題を解決するための手段】
【００１１】
上記課題を解決するために、請求項１に係る発明は、円柱状の樹脂製容器の内部にて直列接続される、異常電流にて溶断する素子、温度スイッチ、ヒータ、バイメタルからなる過負荷リレーにおいて、前記リレーは、前記樹脂製容器の内部から外部に導出され開閉スイッチを介して交流電源と電動機との間に接続される当該リレーの入力端子及び出力端子となる２つの接続端子と、前記樹脂製容器の略中央において前記バイメタルから樹脂製容器の外部に導出され前記開閉スイッチの開閉を制御する検知信号線に接続されるセンター端子とを備え、前記素子と、前記温度スイッチと、前記ヒータと、前記バイメタルとは前記入力端子と前記出力端子の間にその順に直列接続され、前記バイメタルの動作温度は前記温度スイッチの動作温度よりも低く設定され、前記センター端子からの検知信号に基づいて電動機の過電流を阻止するものである。
【００１２】
請求項２に係る発明は、円柱状の樹脂製容器の内部にて直列接続される、異常電流にて溶断する素子、温度スイッチ、ヒータ、バイメタルからなる過負荷リレーにおいて、前記リレーは、前記樹脂製容器の内部から外部に導出され開閉スイッチを介して交流電源と電動機との間に接続される当該リレーの入力端子及び出力端子となる２つの接続端子と、前記樹脂製容器の略中央において前記バイメタルから樹脂製容器の外部に導出され前記開閉スイッチの開閉を制御する検知信号線に接続されるセンター端子とを備え、前記素子と、前記温度スイッチと、前記ヒータと、前記バイメタルとは前記入力端子と前記出力端子の間にその順に直列接続され、前記素子の溶断電流は前記バイメタルの遮断電流よりも大きな値に設定され、前記センター端子からの検知信号に基づいて電動機の過電流を阻止することを特徴とする。
【００１３】
請求項３に係る発明は、円柱状の樹脂製容器の内部で直列接続される、異常電流で溶断する素子、温度スイッチ、ヒータ、バイメタルからなる過負荷リレーにおいて、前記リレーは、前記樹脂製容器の内部から外部に導出され開閉スイッチを介して交流電源と電動機との間に接続される当該リレーの入力端子及び出力端子となる２つの接続端子と、前記樹脂製容器の略中央において前記バイメタルから樹脂製容器の外部に導出され前記開閉スイッチの開閉を制御する検知信号線に接続されるセンター端子とを備え、前記素子と、前記温度スイッチと、前記ヒータと、前記バイメタルとは前記入力端子と前記出力端子の間にその順に直列接続され、前記バイメタルの動作温度は前記温度スイッチの動作温度よりも低く設定され、前記素子の溶断電流は前記バイメタルの遮断電流よりも大きな値に設定され、前記センター端子からの検知信号に基づいて電動機の過電流を阻止することを特徴とする。
【００１４】
請求項４に係る発明は、請求項１乃至請求項３記載の電動機の保護装置において、前記素子の溶断時間を１秒以下に設定したことを特徴とする。
【発明の効果】
【００１５】
請求項１に係る発明の電動機の保護装置によれば、異常電流で溶断する素子、温度スイッチ、ヒータ、バイメタルからなる過負荷リレーにおいて、前記リレーは入力端子及び出力端子となる２つの接続端子とセンター端子とを備え、前記素子と、前記温度スイッチと、前記ヒータと、前記バイメタルとは前記入力端子と前記出力端子の間にその順に直列接続され、前記バイメタルの動作温度を前記温度スイッチの動作温度よりも低く設定することにより、当該リレーは特に圧縮機の表面につける必要はなく電装箱内や空調機の室外機等の温度管理の必要な場所に取り付けることが可能となる。また、前記温度スイッチにより電装箱内の他の保護装置や電気部品の温度上昇を検知して素早く作動することができる。
【００１６】
請求項２に係る発明の電動機の保護装置によれば、異常電流で溶断する素子、温度スイッチ、ヒータ、バイメタルからなる過負荷リレーにおいて、前記リレーは入力端子及び出力端子となる２つの接続端子とセンター端子とを備え、前記素子と、前記温度スイッチと、前記ヒータと、前記バイメタルとは前記入力端子と前記出力端子の間にその順に直列接続され、前記素子の溶断電流を前記バイメタルの遮断電流よりも大きな値に設定することにより、前記バイメタルの駆動に先駆けて、前記素子により電動機の回転子が停止又はその運転中において、モータ巻線の相間の短絡故障やモータ巻線とコンプレッサの金属筐体との導通による地絡故障等の異常事態の発生時に急激に増大する電流を素早く検出すると共に、電動機への通電を遮断することができるようになり、異常電流を素早く検出・解除することができ、前記バイメタルとしての寿命を伸ばすことができる。
【００１７】
請求項３に係る発明によれば、異常電流で溶断する素子、温度スイッチ、ヒータ、バイメタルからなる過負荷リレーにおいて、前記リレーは入力端子及び出力端子となる２つの接続端子とセンター端子とを備え、前記素子と、前記温度スイッチと、前記ヒータと、前記バイメタルとは前記入力端子と前記出力端子の間にその順に直列接続され、前記バイメタルの動作温度を前記温度スイッチの動作温度よりも低く設定し、前記素子の溶断電流を前記バイメタルの遮断電流よりも大きな値に設定することで、前記リレーを温度検出及び過電流の検出部品として利用することができる上に前記バイメタルとしての長寿命化を図ることができる。
【００１８】
請求項４に係る発明によれば、請求項１乃至請求項３記載の電動機の保護装置において、前記素子の溶断時間を１秒以下に設定することで、モータ巻線の短絡故障や地絡故障等の異常事態の際に急激に増大する電流を素早く検知・解除することができる。
【発明を実施するための最良の形態】
【００１９】
次に実施例により本発明を更に詳しく説明するが、本発明はこれらによって限定されるものではない。
【実施例】
【００２０】
以下、本発明の実施例を図１乃至図３に基づいて説明する。図１は本発明にかかる電動機の保護装置を２個使用して三相交流電源（図示せず）及び三相電動機に接続した電源部（即ち電動機の制御装置）における電気回路図、図２は電動機の保護装置を部品化した過負荷リレーの平面図（ａ）及び正面図（ｂ）からなる図、図３は図２の過負荷リレーの内部に配置された電気部品の電気回路図である。尚、従来と同一構成に関しては同一符号を用いている。
【００２１】
図１において、電動機の制御装置は、図示しない三相交流電源に接続する端子板２１と、圧縮機の三相用電動機２２と、これら端子板２１の三相端子Ｒ、Ｓ、Ｔと三相電動機２２の三相端子ｒ、ｓ、ｔ間にその開閉端子が接続される開閉スイッチとしての電磁接触器２３とを備える。また、端子板２１の一端子Ｒと電磁接触器２３の開閉端子との間に、接続端子６がＲに接続端子５が電磁接触器２３にそれぞれつながるように過負荷リレー１ｂを接続し、端子板２１の一端子Ｔと電磁接触器２３の開閉端子との間に、接続端子６がＲに接続端子５が電磁接触器２３にそれぞれつながるように過負荷リレー１ａを接続している。
【００２２】
過負荷リレー１ａのセンター端子７は接続線８ａを介して電磁接触器２３の入力端子２３ａに接続され、電磁コイル２３ｃ、接続端子２３ｂを介して端子板２１の端子Ｚに接続される。尚、この過負荷リレー１ａは、図示しない電装箱内に配置されるものとする。
【００２３】
この過負荷リレー１ａの接続回路により、電磁接触器２３は、過負荷リレー１ａのバイメタル接片が閉塞している、即ち、Ｔ相に異常電流が流れていない場合に、正常に通電されることとなり、異常電流により過負荷リレー１ａのバイメタル接片が開放している場合にセンター端子７からの異常信号を受けて入力端子２３ａへの通電が絶たれ電磁コイル２３Ｃが非通電となり、電磁接触器２３の駆動接片２３ｄが開放する。このため、異常電流検出時には、電磁接触器２３により三相電動機２２への通電が遮断され、三相電動機２２を保護するように動作する。
【００２４】
過負荷リレー１ｂのセンター端子７は接続線８ｂを介して、図示しない圧縮機の金属製筐体に取り付けられる温度スイッチ２４、逆相防止リレー２５、高低圧圧力スイッチ２６を介して、端子板２１の端子Ｚひいては電磁接触器２３の接続端子２３ｂに接続され、電磁コイル２３ｃ、入力端子２３ｂを介して過負荷リレー１ａのセンター端子７に接続される。
【００２５】
この過負荷リレー１ｂの接続回路により、過負荷リレー１ｂのバイメタル接片が閉塞している、即ち、Ｒ相に異常電流が流れていない場合であって、且つ、温度スイッチ２４が閉塞し、逆相防止リレー２５及び高低圧圧力スイッチ２６も正常に作動している場合に、電磁接触器２３は正常に通電されることとなり、異常電流により過負荷リレー１ｂのバイメタル接片が開放している場合、或いは、温度スイッチ２４が圧縮機の異常高温を検出して開放した場合、若しくは、逆相防止リレー２５或いは高低圧圧力スイッチ２６が作動した場合には、センター端子７、或いは、温度スイッチ２４、若しくは逆相防止リレー２５或いは高低圧圧力スイッチ２６からの異常信号を受けて、接続端子２３ｂへの通電が絶たれ、電磁コイル２３Ｃが非通電となり、電磁接触器２３の駆動接片２３ｄが開放する。こ
のため、異常電流検出時、或いは、圧縮機の異常高温検出時、若しくは、逆相発生時或いは異常圧力発生時には、電磁接触器２３により三相電動機２２への通電が遮断され、三相電動機２２を保護するように動作する。
【００２６】
図２において、図４の従来例と大きく異なるのは、接続端子６及びターミナル端子７の向きが、接続端子５に対してそれぞれ平行ではなく略９０°の角度をなすことと、収納部２内における回路構成である。尚、この回路構成の相違については、図３で説明する。また、図２において８は、センター端子７に接続された信号伝達用の信号線としての接続線であり、図１における、８ａ、８ｂに相当する。
【００２７】
この過負荷リレー１において、接続端子５、６を直交関係に配置することで、センター端子７の向きの決定に対する自由度が従来よりも増加した。但し、収納部２内に配置する回路素子を増やしている関係上、実質的にその自由度は従来とあまり差異がない。
【００２８】
図３において、加熱ヒータ１１の接続端子６側には、収納部２において耳部３近傍に位置する検出対象の温度が異常高温になった場合に接点を開放する温度スイッチ１３と、過大電流の検出時に溶断するヒューズ１４とをその順で接続している。
【００２９】
バイメタル１２におけるバイメタル接片は、過負荷リレー１が配置される空間における周囲の雰囲気温度と、加熱ヒータ１１に流れる電流と、加熱された接片の温度と、ある状態の持続時間との４つの要素が密接に関係しあって、その動作が制御されるものであり、一概にバイメタル接片の温度だけでその動作開始温度並びに復帰温度が規定できるものではない。一方、温度スイッチ１３の接点開放温度の持続時間は、バイメタル接片の持続時間よりも短く設定しており、また、バイメタル接片の動作電流はヒューズ１４の溶断電流（例えば数百Ａ程度）よりも低く（例えば数十Ａ程度に）設定され、勿論、その持続時間はヒューズ１４の方がはるかに短く（例えば１秒以下に設定）している。
【００３０】
特に、Ｒ相に配置される過負荷リレー１ｂのバイメタル接片の動作温度を、圧縮機の金属製筐体に取り付けられる温度スイッチ２４の動作温度よりも低く設定しておけば、当該過負荷リレー１ｂは特に圧縮機の表面に設ける必要が無く、電装箱内や空調機の室外機等温度管理の必要な部位に取り付けることが可能となる。
【００３１】
以上の構成によれば、過負荷リレー１ａを電装箱内に設けたので、電気部品例えば電磁接触器２３が設けられる電装箱内における配線処理が容易に行える一方、当該リレー１ａのセンター端子７からの検知信号を電磁接触器２３や他の制御手段への入力信号として活用することができるため、温度及び過電流の検出部品として過負荷リレー１ａを使用することが可能となった。また、過負荷リレー１ａにおける温度スイッチ１３により、電装箱内の過負荷リレー等の保護装置や電気部品の温度上昇を検知して、素早く解除することができるようになり、保護装置としての設置性能及び汎用性が向上した。
【００３２】
特に、過負荷リレー１ａを電装箱内における電磁接触器の近傍に配置することにより、過負荷リレー１ａ自体を温度検出及び過電流の検出部品として使用できることに加え、電動機２２への通電を制御する電磁接触器２３の温度上昇を検出して素早く通電を制御しその温度上昇を抑制することができた。
【００３３】
また、過負荷リレー１の入力側に過電流で溶断する素子としてヒューズ１４を設け、且つ、当該ヒューズにおける溶断電流をバイメタル１２の開放（遮断）電流よりも大きな値（例えば数百Ａ）に設定するとともに、溶断時間を短く(例えば１秒以下に設定）したことにより、バイメタル１２の駆動（接点開放）に先駆けて、このヒューズ１４により、電動機２２の回転子が停止（特にモータのロック現象発生時）又はその運転中において、モータ巻線の相間の短絡故障やモータ巻線とコンプレッサの金属筐体との導通による地絡故障等の異常事態の発生時に急激に増大する電流（即ち異常電流）を素早く検出すると共に、電動機２２への通電を遮断することができるようになり、異常電流を素早く検出・解除することができ、結果的にバイメタル１２としての寿命を伸ばすことができる。
【００３４】
尚、ヒューズ１４をバイメタル１２よりも電動機２２側に位置させた場合には、仮にヒューズ１４により異常電流を検出して電磁接触器２３の駆動接片２３ｄへの通電を阻止したとしても、バイメタル１２のセンター端子７を通じて電磁接触器２３の電磁コイル２３ｃへの通電が継続されることになるため、駆動接片２３ｄを強制的に開放することができなくなり、過電流防止用のヒューズ１４の作動によるだけでは電動機２２への通電を停止することができなくなってしまう。
【００３５】
このため、本実施例では、過負荷リレー１の入力端子６と出力端子５間に異常電流で溶断するヒューズ１４と、温度スイッチ１３と、加熱ヒータ１１と、バイメタル１２とをその順に直列接続することにより、この問題を解決している。また、ヒューズ（溶断素子）１４で異常電流を、温度スイッチ１３で電装箱の異常温度上昇を、バイメタル１２で過電流をそれぞれ別個に検出すると同時に、これらの異常の何れかを検出した場合には、過負荷リレー１（詳しくは電磁接触器２３）によって電動機２２への駆動電流を強制的に阻止することができ、電動機の保護装置としての動作をより確実なものにすることができた。
【図面の簡単な説明】
【００３６】
【図１】本発明に係る電動機の保護装置を２個使用した電動機の制御装置における電気回路図である。
【図２】本発明の保護装置を部品化した過負荷リレーの平面図（ａ）及び正面図（ｂ）である。
【図３】本発明の過負荷リレーの電気回路図である。
【図４】保護装置を部品化した従来の過負荷リレーの平面図（ａ）及び正面図（ｂ）である。
【図５】従来の過負荷リレーの電気回路図である。
【符号の説明】
【００３７】
１、１ａ、１ｂ  過負荷リレー
２  収納部
５  接続端子（電動機側）
６  接続端子（電源側）
７  センター端子
８、８ａ、８ｂ  接続線（異常信号線）
１１  加熱ヒータ
１２  バイメタル
１３  温度スイッチ
１４  ヒューズ
２２  三相電動機
２３  電磁接触器
【図１】
2006230194.tif 000003
【図２】
2006230194.tif 000004
【図３】
2006230194.tif 000005
【図４】
2006230194.tif 000006
【図５】
2006230194.tif 000007